(57)【要約】【課題】情報過多の状態を回避し、所要の情報を効率的にユーザに提供することが可能な情報通信技術を提供する。【解決手段】情報通信システムにおけるサーバ５０は、複数の携帯情報端末１０のそれぞれの存在位置を示す各端末位置情報を取得するとともに（ステップＳＰ１１）、或るユーザによる操作が行われたデータに関連する特定位置の情報である関連位置情報を取得する（ステップＳＰ２０）。また、サーバ５０は、各端末位置情報と関連位置情報とに基づいて、複数の携帯情報端末の中からデータに関する通知の送信先を選択する（ステップＳＰ２１）。そして、サーバ５０は、複数の携帯情報端末のうち、選択された特定の携帯情報端末に向けてデータに関する通知を送信する（ステップＳＰ２２）。【選択図】図５
2012198793.tif 000002
【特許請求の範囲】
【請求項１】
情報通信システムであって、
サーバと、
前記サーバとの間で情報の授受を行う複数の携帯情報端末と、
を備え、
前記サーバは、
或るユーザによる操作が行われたデータに関連する特定位置の情報である関連位置情報を取得するとともに、前記複数の携帯情報端末のそれぞれの存在位置を示す各端末位置情報をも取得する位置情報取得手段と、
前記各端末位置情報と前記関連位置情報とに基づいて、前記複数の携帯情報端末の中から前記データに関する通知の送信先を選択する選択手段と、
前記複数の携帯情報端末のうち前記選択手段により選択された特定の携帯情報端末に向けて前記データに関する通知を送信する通信制御手段と、
を有することを特徴とする情報通信システム。
【請求項２】
請求項１に記載の情報通信システムにおいて、
前記選択手段は、前記複数の携帯情報端末のうち、前記特定位置の所定の範囲内に存在すると判定される携帯情報端末を、前記特定の携帯情報として選択することを特徴とする情報通信システム。
【請求項３】
請求項１または請求項２に記載の情報通信システムにおいて、
前記選択手段は、前記データに関する操作が行われるごとに、前記データに関する通知の送信先を選択することを特徴とする情報通信システム。
【請求項４】
請求項１ないし請求項３のいずれかに記載の情報通信システムにおいて、
前記特定の携帯情報端末は、
前記通知の受信に応答して、前記通知に基づくアイコン画像を表示する表示手段、
を有することを特徴とする情報通信システム。
【請求項５】
請求項４に記載の情報通信システムにおいて、
前記特定の携帯情報端末は、
前記アイコン画像に対する操作に応答して、前記データの送信要求を前記サーバに送信し、
前記サーバの前記通信制御手段は、
前記データの送信要求に応答して、前記データを前記特定の携帯情報端末に送信する、
ことを特徴とする情報通信システム。
【請求項６】
請求項１ないし請求項５のいずれかに記載の情報通信システムにおいて、
前記データは、会議の資料データであり、
前記関連位置情報は、前記会議が開催される場所の位置情報であることを特徴とする情報通信システム。
【請求項７】
請求項１ないし請求項５のいずれかに記載の情報通信システムにおいて、
前記データは、撮像装置により撮影された画像データであり、
前記関連位置情報は、前記画像データの撮影位置を示す位置情報であることを特徴とする情報通信システム。
【請求項８】
複数の携帯情報端末との間で情報の授受を行うことが可能なサーバであって、
或るユーザによる操作が行われたデータに関連する特定位置の情報である関連位置情報を取得するとともに、前記複数の携帯情報端末のそれぞれの存在位置を示す各端末位置情報をも取得する位置情報取得手段と、
前記各端末位置情報と前記関連位置情報とに基づいて、前記複数の携帯情報端末の中から前記データに関する通知の送信先を選択する選択手段と、
前記複数の携帯情報端末のうち前記選択手段により選択された特定の携帯情報端末に向けて前記データに関する通知を送信する通信制御手段と、
を備えることを特徴とするサーバ。
【請求項９】
コンピュータに、
ａ）複数の携帯情報端末のそれぞれの存在位置を示す各端末位置情報を取得するステップと、
ｂ）或るユーザによる操作が行われたデータに関連する特定位置の情報である関連位置情報を取得するステップと、
ｂ）前記各端末位置情報と前記関連位置情報とに基づいて、前記複数の携帯情報端末の中から前記データに関する通知の送信先を選択するステップと、
ｃ）前記複数の携帯情報端末のうち前記ステップｂ）で選択された特定の携帯情報端末に向けて前記データに関する通知を送信するステップと、
を実行させるためのプログラム。
【発明の詳細な説明】
【技術分野】
【０００１】
本発明は、情報通信技術に関し、特に、サーバと携帯情報端末との間での情報の授受を行う技術に関する。
【背景技術】
【０００２】
サーバと携帯情報端末との間での情報の授受を行う技術が存在する。
【０００３】
たとえば、特許文献１においては、次のような技術が記載されている。具体的には、まず、情報処理端末（携帯情報端末）への入力操作内容と利用者の位置情報とに関連付けられた状態で情報がサーバに記憶される。その後、利用者が情報処理端末を入力操作する際の操作内容と位置情報とが検出される。そして、検出された操作内容および位置情報と同じ操作内容および位置情報に関連付けられた情報が、サーバに記憶された情報の中から検索され、その検索結果が表示される。これにより、利用者は情報を効率的に入手することが可能である。
【０００４】
また、特許文献２においては、或る場所に関連する情報をサーバに記憶しておき、当該場所に関連する情報を携帯情報端末に送信する技術が記載されている。具体的には、携帯情報端末のカメラによる撮影画像内のマーカーを認識し、当該マーカに予め関連付けられた所定の情報（サーバに記憶された情報）を、当該携帯情報端末の画面に表示している実写映像（ライブビュー映像）の上に重畳して表示することが記載されている。
【先行技術文献】
【特許文献】
【０００５】
【特許文献１】特開２００３−０２２２２９号公報
【特許文献２】特開２００４−０４８６７４号公報
【発明の概要】
【発明が解決しようとする課題】
【０００６】
上記特許文献１および特許文献２に記載の技術は、或る利用者が自らの操作に基づき情報を取得する際に利用される。
【０００７】
ところで、或るユーザが他のユーザと情報を共有したいという要請も存在する。そのような要請に応えるものとしては、たとえば、或る携帯情報端末のユーザが或るデータを他のユーザと共有する際に、当該データをサーバにアップロードし、当該データを他のユーザがサーバから自らの携帯情報端末にダウンロードする技術が存在する。
【０００８】
また、このような技術においては、或るユーザによるデータの更新等を他のユーザに通知することが考えられる。たとえば、或るユーザによる様々なデータの更新を他の全てのユーザ（登録ユーザ）に常に通知することが考えられる。
【０００９】
しかしながら、或るユーザによる様々なデータの更新が他の全てのユーザに一律に通知されると、各ユーザは自分には無関係のデータに関する更新通知等をも受け取ってしまう。その結果、携帯情報端末は、様々な情報に関するデータ更新の通知を頻繁に受け取ることがある。多数の無用の通知を受け取ると、状況によっては、携帯情報端末は、情報過多の状態に陥ることもある。
【００１０】
そこで、この発明の課題は、或るユーザによるデータ操作が行われた旨を他のユーザに効率的に通知することが可能な情報通信技術を提供することにある。
【課題を解決するための手段】
【００１１】
上記課題を解決すべく、請求項１の発明は、情報通信システムであって、サーバと、前記サーバとの間で情報の授受を行う複数の携帯情報端末と、を備え、前記サーバは、或るユーザによる操作が行われたデータに関連する特定位置の情報である関連位置情報を取得するとともに、前記複数の携帯情報端末のそれぞれの存在位置を示す各端末位置情報をも取得する位置情報取得手段と、前記各端末位置情報と前記関連位置情報とに基づいて、前記複数の携帯情報端末の中から前記データに関する通知の送信先を選択する選択手段と、前記複数の携帯情報端末のうち前記選択手段により選択された特定の携帯情報端末に向けて前記データに関する通知を送信する通信制御手段と、を有することを特徴とする。
【００１２】
請求項２の発明は、請求項１の発明に係る情報通信システムにおいて、前記選択手段は、前記複数の携帯情報端末のうち、前記特定位置の所定の範囲内に存在すると判定される携帯情報端末を、前記特定の携帯情報として選択することを特徴とする。
【００１３】
請求項３の発明は、請求項１または請求項２の発明に係る情報通信システムにおいて、前記選択手段は、前記データに関する操作が行われるごとに、前記データに関する通知の送信先を選択することを特徴とする。
【００１４】
請求項４の発明は、請求項１ないし請求項３のいずれかの発明に係る情報通信システムにおいて、前記特定の携帯情報端末は、前記通知の受信に応答して、前記通知に基づくアイコン画像を表示する表示手段、を有することを特徴とする。
【００１５】
請求項５の発明は、請求項４の発明に係る情報通信システムにおいて、前記特定の携帯情報端末は、前記アイコン画像に対する操作に応答して、前記データの送信要求を前記サーバに送信し、前記サーバの前記通信制御手段は、前記データの送信要求に応答して、前記データを前記特定の携帯情報端末に送信する、ことを特徴とする。
【００１６】
請求項６の発明は、請求項１ないし請求項５のいずれかの発明に係る情報通信システムにおいて、前記データは、会議の資料データであり、前記関連位置情報は、前記会議が開催される場所の位置情報であることを特徴とする。
【００１７】
請求項７の発明は、請求項１ないし請求項５のいずれかの発明に係る情報通信システムにおいて、前記データは、撮像装置により撮影された画像データであり、前記関連位置情報は、前記画像データの撮影位置を示す位置情報であることを特徴とする。
【００１８】
請求項８の発明は、複数の携帯情報端末との間で情報の授受を行うことが可能なサーバであって、或るユーザによる操作が行われたデータに関連する特定位置の情報である関連位置情報を取得するとともに、前記複数の携帯情報端末のそれぞれの存在位置を示す各端末位置情報をも取得する位置情報取得手段と、前記各端末位置情報と前記関連位置情報とに基づいて、前記複数の携帯情報端末の中から前記データに関する通知の送信先を選択する選択手段と、前記複数の携帯情報端末のうち前記選択手段により選択された特定の携帯情報端末に向けて前記データに関する通知を送信する通信制御手段と、を備えることを特徴とする。
【００１９】
請求項９の発明は、コンピュータに、ａ）複数の携帯情報端末のそれぞれの存在位置を示す各端末位置情報を取得するステップと、ｂ）或るユーザによる操作が行われたデータに関連する特定位置の情報である関連位置情報を取得するステップと、ｂ）前記各端末位置情報と前記関連位置情報とに基づいて、前記複数の携帯情報端末の中から前記データに関する通知の送信先を選択するステップと、ｃ）前記複数の携帯情報端末のうち前記ステップｂ）で選択された特定の携帯情報端末に向けて前記データに関する通知を送信するステップと、を実行させるためのプログラムであることを特徴とする。
【発明の効果】
【００２０】
請求項１ないし請求項９に記載の発明によれば、或るユーザによるデータ操作が行われた旨を他のユーザに効率的に通知することが可能である。
【図面の簡単な説明】
【００２１】
【図１】第１実施形態に係る情報通信システムを示す概略図である。
【図２】サーバのハードウエア構成を示す図である。
【図３】サーバの構成を示す機能ブロック図である。
【図４】携帯情報端末の構成を示す機能ブロック図である。
【図５】情報通信システムにおける動作を示す図である。
【図６】サーバ内に記録されている会議データベースを示す図である。
【図７】送信側の携帯情報端末に表示されるトップ画面を示す図である。
【図８】送信側の携帯情報端末に表示される編集画面を示す図である。
【図９】受信側の携帯情報端末に表示される閲覧画面を示す図である。
【図１０】通知アイコンが表示される様子を示す図である。
【図１１】データダウンロード中の画面を示す図である。
【図１２】各携帯情報端末の位置を示す図である。
【図１３】第２実施形態に係る情報通信システムの動作を示す図である。
【図１４】社員食堂データベースを示す図である。
【図１５】各携帯情報端末の位置を示す図である。
【発明を実施するための形態】
【００２２】
以下、本発明の実施形態を図面に基づいて説明する。
【００２３】
＜１．第１実施形態＞
＜１−１．概要＞
図１は、情報通信システム１（１Ａ）を示す概略図である。
【００２４】
図１に示すように、情報通信システム１Ａは、複数の携帯情報端末装置（単に、携帯情報端末とも称する）１０（詳細には、１０ａ，１０ｂ，１０ｃ，...）とサーバコンピュータ（以下、単に「サーバ」とも称する）５０とを備える。各携帯情報端末１０ａ，１０ｂ，１０ｃ，...は、それぞれ、対応するユーザＵＡ，ＵＢ，ＵＣ，...によって所持される。
【００２５】
これらの複数の携帯情報端末１０とサーバ５０とは、ネットワークＮＷを介して互いに接続されており、ネットワーク通信を実行することが可能である。なお、ネットワークＮＷは、ＬＡＮ、ＷＡＮ、インターネットなどによって構成される。また、ネットワークＮＷへの接続形態は、有線接続であってもよく或いは無線接続であってもよい。たとえば、サーバ５０は、ネットワークＮＷに対して有線接続され、複数の携帯情報端末１０は、ネットワークＮＷに対して無線接続される。
【００２６】
＜１−２．サーバ５０＞
図２および図３は、サーバ５０の構成を示す図である。
【００２７】
サーバ５０は、コンピュータシステム（コンピュータ）として構成される。具体的には、図２に示すように、サーバ５０は、ＣＰＵ４１、記憶部（半導体メモリ（ＲＡＭ等）およびハードディスクドライブ等）４２、表示部（液晶表示部等）４５、および入力部（キーボード、マウス等）４６を備えて構成される。サーバ５０は、そのＣＰＵ４１等を用いて各種のプログラムＰＧ１を実行することによって様々な機能を実現する。なお、プログラムＰＧ１は、ＣＤ−ＲＯＭ、ＤＶＤ−ＲＯＭおよびＵＳＢメモリなどの可搬性の記録媒体に記録されており、当該記録媒体を介してサーバ５０にインストールされる。あるいは、プログラムＰＧ１は、ネットワークＮＷ等を介してサーバ５０にインストールされるようにしてもよい。
【００２８】
また、サーバ５０は、図３に示すように、位置情報取得部５１と送信先選択部５２と通信制御部５３とを備える。なお、図３は、プログラムＰＧ１の実行によりサーバ５０にて実現される処理部を示す機能ブロック図である。
【００２９】
位置情報取得部５１は、複数の携帯情報端末１０のそれぞれの存在位置を示す各端末位置情報を取得する処理部である。位置情報取得部５１は、サーバ５０に送信されてきたデータ（或るユーザによる操作が行われたデータ）に関連する特定位置の情報である関連位置情報（後述）をも取得する。
【００３０】
送信先選択部５２は、関連位置情報と複数の携帯情報端末１０のそれぞれの位置情報（各端末位置情報）とに基づいて、データに関する通知ＮＴの送信先を複数の携帯情報端末の中から選択する処理部である。
【００３１】
通信制御部５３は、複数の携帯情報端末１０との通信動作を制御する処理部である。通信制御部５３は、たとえば、複数の携帯情報端末１０のうち、送信先選択部５２によって選択された特定の携帯情報端末に向けて、データに関する通知ＮＴを送信する（後述）。
【００３２】
＜１−３．携帯情報端末１０＞
図４は、携帯情報端末１０の構成を示す図である。
【００３３】
各携帯情報端末１０は、各種の携帯型の情報端末である。各携帯情報端末１０は、たとえば、携帯型のパーソナルコンピュータ、パーソナルデータアシスタント端末（ＰＤＡ装置）、あるいは携帯電話等の各種の装置として構成される。
【００３４】
携帯情報端末１０は、表示部としての機能（表示出力機能）と入力部としての機能（操作入力機能）とを兼ね備えた操作パネル（液晶タッチパネル等）１６（図１参照）を有している。携帯情報端末１０は、各種の情報を操作パネルに表示してユーザに提供するとともに、操作パネルを用いてユーザからの操作入力を受け付けることができる。
【００３５】
携帯情報端末１０においてプログラムＰＧ２が実行されることにより、図４に示すような各種の処理部が実現される。具体的には、携帯情報端末１０は、位置情報取得部２１と位置情報通知部２２と通信制御部２３とを備える。
【００３６】
位置情報取得部２１は、グローバル・ポジショニング・システム（ＧＰＳ：Global Positioning System）の端末装置（ＧＰＳ端末ユニット）を用いて、その携帯情報端末１０の地球上での存在位置を測定（測位）し、当該存在位置を取得することが可能である。
【００３７】
位置情報通知部２２は、その携帯情報端末１０の位置をサーバ５０等に通知する処理部である。
【００３８】
通信制御部２３は、携帯情報端末１０におけるデータ通信に関する各種動作を制御する処理部である。
【００３９】
＜１−４．動作＞
つぎに、この情報通信システム１Ａにおける各種動作について図５を参照しながら説明する。図５は、情報通信システム１Ａにおける動作を示す図である。図５においては、サーバ５０に対するデータの更新動作（ステップＳＰ１２）、当該データの更新に関する通知動作（ステップＳＰ２２）、および更新されたデータの通信動作（ステップＳＰ２４〜ＳＰ２７）等が示されている。各動作については後に詳述する。
【００４０】
この第１実施形態においては、各会議に関する会議資料等を含む会議情報（データ）がサーバ５０に記録されており（図６参照）、当該会議情報が携帯情報端末１０ａによって更新され、一部の携帯情報端末１０ｂに向けて更新通知がなされる場合について例示する。なお、この携帯情報端末１０ａは、会議資料Ｄａ１に関する更新データを送信する端末装置であることから、データ送信側端末ＭＤｓとも称される。一方、後述する携帯情報端末１０ｂ等は、会議資料Ｄａ１に関する更新データおよび更新通知を受信する端末装置であることから、データ受信側端末ＭＤｒとも称される。
【００４１】
図６は、サーバ５０内に記録されている会議データベースＴＢ１を示す図である。図６に示すように、複数の会議Ｍａ，Ｍｂ，Ｍｃに関する各種の情報が会議データベースＴＢ１に格納されている。具体的には、会議Ｍａの３つの会議資料Ｄａ１，Ｄａ２，Ｄａ３と会議Ｍａの開催場所である会議室ＭＲａの位置情報ＰＳａとが、会議Ｍａに関連付けられて記憶されている。同様に、会議Ｍｂの２つの会議資料Ｄｂ１，Ｄｂ２と会議Ｍｂの開催場所である会議室ＭＲｂの位置情報ＰＳｂとが、会議Ｍｂに関連付けられて記憶されている。また、会議Ｍｃの会議資料Ｄｃ１と会議Ｍｃの開催場所である会議室ＭＲｃの位置情報ＰＳｃとが、会議Ｍｃに関連付けられて記憶されている。各会議室の位置情報ＰＳａ，ＰＳｂ，ＰＳｃは、それぞれ、例えば緯度と経度との組合せ情報として形成される。各位置情報ＰＳａ，ＰＳｂ，ＰＳｃは、それぞれ、会議資料（詳細には会議資料のデータ）に関連する特定位置（詳細には会議資料に対応する会議の開催場所である会議室の存在位置）の情報（「関連位置情報」）であるとも表現される。たとえば、位置情報ＰＳａは、会議資料Ｄａに関連する特定位置（詳細には会議室ＭＲの存在位置）Ｑａの情報であり、会議資料Ｄａの関連位置情報であるとも表現される。また、会議データベースＴＢ１は、各会議資料データと当該各会議資料データに関連する特定位置の情報（関連位置情報）とを関連付けて記憶する関連位置情報リストであるとも表現される。なお、各位置情報ＰＳａ，ＰＳｂ，ＰＳｃとしては、それぞれ、グローバル・ポジショニング・システム（ＧＰＳ：Global Positioning System）を用いて予め測定された位置情報等が用いられればよい。
【００４２】
また、サーバ５０には各登録ユーザに関する情報（各登録ユーザのログインユーザ名およびパスワード等を含む）がそれぞれ予め登録されている。そして、登録ユーザに関する認証動作後においては、各登録ユーザのログインに利用された各携帯情報端末１０の存在位置Ｐ（Ｐｉ）を示す各端末位置情報ＰＭ（ＰＭｉ）が、所定時間間隔で、各携帯情報端末１０からサーバ５０へと送信される。各端末位置情報ＰＭは、各携帯情報端末１０に内蔵（あるいは外付け）された位置測定装置（ＧＰＳ端末ユニット）によって取得されればよい。また、各端末位置情報ＰＭは、例えば、緯度と経度との組合せ情報として表現される。
【００４３】
このようにして、サーバ５０は、複数の携帯情報端末１０のそれぞれの端末位置情報ＰＭを常時把握することが可能である。そして、次述するデータ更新動作（ステップＳＰ１２）の前の時点Ｔ０等においても、複数の携帯情報端末１０の各端末位置情報ＰＭがサーバ５０に通知されている（ステップＳＰ１１）。
【００４４】
ステップＳＰ１２においては、或る携帯情報端末１０からサーバ５０に向けて会議資料Ｄａ１のデータが送信される。
【００４５】
具体的には、まず、或るユーザＵＡが、当該ユーザＵＡの携帯情報端末１０ａにおいて、プログラムＰＧ２を実行させて図７のようなトップ画面ＧＳ１を表示させる。このトップ画面ＧＳ１を用いて、ユーザＵＡは、幾つかのデータベースの中から、アクセス対象のデータベースを選択する。ここでは、「会議資料」データベースが選択されるものとする。その後、会議名称を選択する画面（不図示）と会議資料を指定する画面（不図示）とを用いて、ユーザＵＡが所望の会議（ここではＭａ）に関する所望の会議資料（ここではＤａ１）を指定すると、サーバ５０は、指定された会議資料Ｄａ１を携帯情報端末１０ａに向けて送信する。そして、携帯情報端末１０ａは、サーバ５０から送信されてきたデータに基づき会議資料Ｄａ１を携帯情報端末１０の操作パネル１６に表示する。その後、ユーザＵＡは、当該携帯情報端末１０ａを操作し、携帯情報端末１０ａの操作パネル１６に表示された編集画面ＧＳ２を用いて、会議資料Ｄａ１を編集する（図８参照）。そして、ユーザＵＡは、編集画面ＧＳ２（図８参照）内の更新ボタンＢＮ１１を押下することによって、編集後の内容で会議資料Ｄａ１を更新すべき旨を指示する。この指示操作に応答して、編集後（更新後）の会議資料Ｄａ１に関するデータは、当該携帯情報端末１０ａからサーバ５０へと送信される（ステップＳＰ１２）。このようにして、ユーザＵＡによる更新操作が行われたデータがサーバ５０へと送信される。
【００４６】
つぎに、ステップＳＰ２０において、サーバ５０は、受信したデータ（受信対象データ）がユーザＵＡによる操作が行われた会議資料データＤａ１であることを判定し、当該受信対象データ（Ｄａ１）に関連する特定位置Ｑａの情報を関連位置情報ＰＳａとして取得（抽出）する。
【００４７】
その後、サーバ５０は、当該会議資料Ｄａ１に関するデータ更新がなされた旨（換言すれば、或るユーザＵＡによるデータ操作が行われた旨）を、複数の携帯情報端末１０のうち送信元の携帯情報端末１０ａ以外の携帯情報端末１０に通知する。換言すれば、送信元ユーザＵＡとは別のユーザの携帯情報端末１０に通知する。ただし、この通知は、その通知先装置を絞り込んで実行される。
【００４８】
具体的には、まず、ステップＳＰ２１において、サーバ５０は、各端末位置情報ＰＭと関連位置情報ＰＳａとに基づいて、データに関する通知（ここでは、或るユーザによるデータ更新操作がなされた旨の通知）ＮＴの送信先を複数の携帯情報端末１０の中から選択する。詳細には、サーバ５０は、更新対象データ（会議資料Ｄａ１）に対する関連位置情報ＰＳａに基づいて（詳細には会議資料Ｄａに対応する会議Ｍａにて使用される会議室ＭＲａの存在位置Ｑａを基準にして）、通知ＮＴの対象装置（「通知対象装置」）を選択する。より詳細には、サーバ５０は、当該存在位置Ｑａから所定の近傍範囲ＲＮ内（たとえば半径５メートル以内）に存在すると判定される携帯情報端末を、「通知対象装置」として選択する。
【００４９】
たとえば、図１２に示すような各位置Ｐ（Ｐｉ）に各携帯情報端末１０が存在する場合を想定する。図１２においては、会議資料Ｄａ１に関連する会議室ＭＲａの位置Ｑａの近傍範囲ＲＮ内には、複数の携帯情報端末１０のうち携帯情報端末１０ｂのみが存在している状況が示されている。
【００５０】
サーバ５０は、各端末位置情報ＰＭｉと関連位置情報ＰＳａとに基づいて、各端末位置Ｐｉと会議室ＭＲａの存在位置Ｑａとの距離Ｄｉをそれぞれ算出し、算出された各距離Ｄｉと閾値ＴＨ（例えば１０メートル）とを比較する。その距離Ｄｉが閾値ＴＨ以下であるときには、当該携帯情報端末１０が近傍範囲ＲＮ内に存在すると判定される。図１２のような配置例においては、サーバ５０は、その比較結果に基づいて、複数の携帯情報端末１０のうち携帯情報端末１０ｂのみが会議室の存在位置Ｑａに対する所定の近傍範囲ＲＮ内に存在する旨を判定する。そして、サーバ５０は、当該携帯情報端末１０ｂのみを「通知対象装置」として選択する。他の携帯情報端末１０ａ，１０ｃ，１０ｄ，１０ｅ，...は、「通知対象装置」から除外される。なお、ここでは、送信元の携帯情報端末１０ａ（データ更新操作を行った端末）（データ送信側端末ＭＤｓ）は常に通知対象装置から除外されるものとする。
【００５１】
そして、サーバ５０は、通知対象装置として選択された特定の携帯情報端末１０ｂのみに対して、通知ＮＴを送信し、会議資料のデータが更新された旨を通知する（ステップＳＰ２２）。
【００５２】
一方、情報通信システム１Ａにログイン中の携帯情報端末１０ｂは、当該通知ＮＴを受信すると、当該受信に応答して、携帯情報端末１０ｂの操作パネル１６に通知アイコン（アイコン画像）ＮＣを表示する（ステップＳＰ２３）。
【００５３】
たとえば、更新対象の会議資料Ｄａ１の閲覧中（図９の画面ＧＲ１参照）に携帯情報端末１０ｂ（データ受信側端末ＭＤｒ）が通知ＮＴを受信すると、携帯情報端末１０ｂは、その操作パネル１６に通知アイコンＮＣを追加的に表示する（図１０の画面ＧＲ２参照）。また、携帯情報端末１０ｂは、「会議資料Ｄａ１が更新されました」の文字を通知アイコンＮＣに付随して表示する。これにより、携帯情報端末１０ｂを所持するユーザＵＢは、会議資料Ｄａ１が更新されたことを知得することができる。
【００５４】
また、携帯情報端末１０ｂのユーザＵＢは、当該通知アイコンＮＣを視認した後、当該通知アイコンＮＣを操作することによって、更新後のデータを取得することができる。
【００５５】
具体的には、まず、ユーザＵＢが通知アイコンＮＣをクリックすると、当該クリック操作に応答して、携帯情報端末１０ｂは、更新後のデータファイルの送信要求をサーバ５０に送出する（ステップＳＰ２４）。
【００５６】
つぎに、サーバ５０は、携帯情報端末１０ｂからの当該送信要求を受信する（ステップＳＰ２５）と、当該送信要求に応答して、会議資料Ｄａ１に関する更新後のデータファイルを携帯情報端末１０ｂに向けて送信する（ステップＳＰ２６）。なお、ステップＳＰ２６の送信動作は、送信要求の依頼元の携帯情報端末１０ｂが「通知対象装置」であることをも条件として、行われることが好ましい。
【００５７】
一方、携帯情報端末１０ｂは、更新後のデータファイルをサーバ５０から受信する。受信中においては、携帯情報端末１０ｂの操作パネル１６において図１１に示すような画面ＧＲ３が表示される。図１１の画面ＧＲ３においては、更新後のデータファイルのダウンロード状況（ダウンロードの進行程度）を示すバー（プログレスバー）が表示されている。その後、更新後のデータファイルの全データの受信が完了すると、当該更新後のデータファイルに基づいて、携帯情報端末１０ｂの操作パネル１６上に更新後の会議資料Ｄａ１が表示される。
【００５８】
以上のような動作によれば、携帯情報端末１０ａによる更新データがサーバ５０に送信されたことに応答して、当該更新データに関する通知ＮＴが、複数の携帯情報端末１０のうち、当該会議Ｍａを開催している会議室ＭＲａの近傍範囲内に存在する携帯情報端末１０ｂに対してのみ送信される。したがって、会議Ｍａの出席者である可能性が高いユーザＵＢに対して、データ更新を通知することができる。一方、会議室ＭＲａの近傍範囲内に存在しない携帯情報端末１０ｃ，１０ｄ，１０ｅに対しては、通知ＮＴが送信されない。したがって、会議Ｍａの出席者である可能性が低い他のユーザＵＣ，ＵＤ，ＵＥに対しては、無関係の会議資料の更新に関する通知がなされない。すなわち、無用な通知が回避される。なお、会議Ｍａとは別の場所で開催中の会議Ｍｃの会議資料データＤｃの更新が行われた場合において、当該会議資料データＤｃが更新された旨は、会議Ｍｃの出席者には通知されるが、会議Ｍａの出席者であっても会議Ｍｃの出席ではない人物には原則として通知されないので、無用な通知が回避される。
【００５９】
このように、データに関する通知（データ更新通知）がより効率的に行われる。換言すれば、或るユーザＵＡによるデータ操作が行われた旨を他のユーザに効率的に通知することが可能である。
【００６０】
なお、上記実施形態においては、ユーザＵＡによる１回のデータ更新に基づく動作について説明したが、複数回のデータ更新が繰り返される場合にも同様の動作が行われればよい。すなわち、データに関する更新操作が行われ、修正後のデータ（更新データ）がサーバ５０に送信されるごとに、サーバ５０は、当該データに関する通知ＮＴの送信先を複数の携帯情報端末１０の中から改めて選択するようにすればよい。また、サーバ５０は、選択された特定の携帯情報端末に対して通知ＮＴを送信するようにすればよい。また、更新データの送信処理は、特定のユーザＵＡに限定されず、その他の様々なユーザによって行われてもよい。
【００６１】
また、上記実施形態においては、更新対象の会議資料Ｄａ１の閲覧中（図９参照）において、当該会議資料Ｄａ１に対する更新通知ＮＴが受信され通知アイコンＮＣが表示される場合が例示されているが、これに限定されない。たとえば、同じ会議Ｍａに関する別の会議資料Ｄａ２の閲覧中にも、会議資料Ｄａ１に対する更新通知ＮＴが受信され通知アイコンＮＣが表示されるようにしてもよい。あるいは、別の会議Ｍｃに関する会議資料Ｄｃの閲覧中に、会議資料Ｄａ１に対する更新通知ＮＴが受信され通知アイコンＮＣが表示されるようにしてもよい。あるいは、別のデータベースに関する資料の閲覧中に、会議資料に対する更新通知ＮＴが受信され通知アイコンＮＣが表示されるようにしてもよい。さらには、資料閲覧中ではなく、単なる待機状態等において通知アイコンＮＣが表示されるようにしてもよい。
【００６２】
また、上記実施形態においては、単一の携帯情報端末１０ｂのみが通知対象装置として選択される場合が示されているが、これに限定されず、位置Ｑａの近傍範囲内の２以上の携帯情報端末（たとえば、３つの携帯情報端末１０ｂ，１０ｃ，１０ｄ）が通知対象装置として選択されるようにしてもよい。
【００６３】
また、上記実施形態においては、各会議の会議情報が予めサーバ５０に登録されていることを前提に、当該会議情報の更新時における動作を中心に例示されている。ただし、これに限定されず、登録時において同様の思想を適用するようにしてもよい。たとえば、或るユーザによる会議データの新規登録操作時（会議データの新規アップロード時）において、当該会議データに対応する会議室の近傍範囲に存在する携帯情報端末にのみ、当該会議データが新規に登録された旨の通知（新規登録通知等）が行われるようにしてもよい。
【００６４】
＜２．第２実施形態＞
第２実施形態は、第１実施形態の変形例である。第２実施形態に係る情報通信システム１Ｂは、第１実施形態に係る情報通信システム１Ａと同様の構成を有している。以下では、第１実施形態との相違点を中心に説明する。
【００６５】
第２実施形態においては、社員食堂に関する画像データが或る携帯情報端末１０ａからサーバ５０にアップロードされると、当該社員食堂に向かっているユーザの携帯情報端末１０ｂに向けて更新通知がなされる場合について例示する。これによれば、たとえば、社員食堂に向かっている複数のユーザのうち、最初に社員食堂に到達したユーザＵＡが献立メニューを撮影して献立メニュー画像をアップロードし、後続の他のユーザが当該献立メニュー画像を取得して利用することができる。なお、この携帯情報端末１０ａは、画像データを送信する端末装置であることから、「データ送信側端末」とも称され、携帯情報端末１０ｂ等は、画像データおよび新規登録通知を受信する端末装置であることから、「データ受信側端末」とも称される。
【００６６】
図１３は、第２実施形態に係る情報通信システム１Ｂにおける動作を示す図である。第２実施形態においても、第１実施形態と同様にして、サーバ５０は、複数の携帯情報端末１０のそれぞれの端末位置情報ＰＭを常時把握することが可能である。そして、次述するデータ送信動作（ステップＳＰ３２）の前の時点Ｔ０等においても、複数の携帯情報端末１０の各端末位置情報ＰＭがサーバ５０に通知されている（ステップＳＰ３１）。
【００６７】
次のステップＳＰ３２においては、社員食堂店舗Ｒａの献立メニューを撮影した新たな撮影画像データＤＧａが、ユーザＵＡの携帯情報端末１０からサーバ５０に向けて送信される。これにより、撮影画像データＤＧａがサーバ５０に新規登録される。
【００６８】
具体的には、まず、或るユーザＵＡが、当該ユーザＵＡの携帯情報端末１０ａにおいて、プログラムＰＧ２を実行させてトップ画面を表示させ、「社員食堂メニュー」データベースが、アクセス対象のデータベースとして選択される。その後、社員食堂の店舗を選択する画面等を用いて、ユーザＵＡが所望の店舗（ここではＲａ）を指定する。また、ユーザＵＡは、所定の操作画面を用いて、社員食堂店舗の献立メニューを撮影した新たな撮影画像データＤＧａを送信対象データとして指定する。そして、ユーザＵＡは、当該操作画面内の送信ボタン（不図示）を押下することによって、新たな撮影画像データＤＧａの送信指示を付与する。この送信指示操作に応答して、新たな撮影画像データＤＧａは、当該携帯情報端末１０ａからサーバ５０へと送信される（ステップＳＰ３２）。また、サーバ５０は、社員食堂データベースＴＢ２に撮影画像データＤＧａを新規登録する。
【００６９】
図１４は、社員食堂データベースＴＢ２を示す図である。図１４に示すように、社員食堂（店舗）Ｒａに関する各種の情報がデータベースＴＢ２に格納される。具体的には、店舗Ｒａの画像データＤＧａと当該画像データＤＧａの撮影場所（すなわち店舗Ｒａの存在位置）に関する位置情報ＰＳａとが、店舗Ｒａに関連付けられて記憶される。この位置情報ＰＳａは、画像データＤＧａに関連する特定位置（詳細には店舗Ｒａの存在位置）Ｑａの情報であり、画像データＤＧａの関連位置情報であるとも表現される。位置情報ＰＳａは、携帯情報端末１０ａのＧＰＳ機能により生成される。位置情報ＰＳａは、画像データＤＧａに所定形式で埋め込まれた撮影情報から抽出されて取得されるようにすればよい。あるいは、位置情報ＰＳａは、画像データＤＧａとは別のデータとして携帯情報端末１０ａからサーバ５０へと送信されるようにしてもよい。
【００７０】
つぎに、ステップＳＰ４０において、サーバ５０は、受信したデータ（受信対象データ）がユーザＵＡによる操作が行われた画像データＤＧａであることを判定し、当該受信対象データ（ＤＧａ）に関連する特定位置Ｑａの情報である関連位置情報ＰＳａを取得（抽出）する。
【００７１】
その後、サーバ５０は、撮影画像データＤＧａが登録された旨を、複数の携帯情報端末１０のうち送信元の携帯情報端末１０ａ以外の携帯情報端末１０に通知する。ただし、この通知は、その通知先装置を絞り込んで実行される。
【００７２】
具体的には、まず、ステップＳＰ４１において、サーバ５０は、各端末位置情報ＰＭと関連位置情報ＰＳとに基づいて、データに関する通知（ここでは新規登録通知）ＮＴの送信先を複数の携帯情報端末１０の中から選択する。詳細には、サーバ５０は、受信対象データに対する関連位置情報（撮影画像データＤＧａの撮影位置Ｑａの情報）ＰＳａに基づいて、通知ＮＴの対象装置（「通知対象装置」）を選択する。ここでは、サーバ５０は、「当該位置Ｑａから所定の近傍範囲ＲＮ内（たとえば半径３００メートル以内）に存在し、且つ、位置Ｑａに向かって移動中である」と判定される携帯情報端末を、「通知対象装置」として選択する。
【００７３】
たとえば、図１５に示すような各位置Ｐ（Ｐｉ）に各携帯情報端末１０が存在する場合を想定する。図１５においては、店舗（社員食堂）Ｒａの位置Ｑａの近傍範囲ＲＮ内には複数の携帯情報端末１０のうち携帯情報端末１０ａ，１０ｂ，１０ｃ，１０ｄが存在する状況（携帯情報端末１０ｅは近傍範囲ＲＮの範囲外に存在する状況）が示されている。また、複数の携帯情報端末１０のうち携帯情報端末１０ｂ，１０ｃのみが位置Ｑａに向かって進行している。なお、図１５においては、図示の都合上、携帯情報端末１０ａは示されていない。
【００７４】
この場合において、サーバ５０は、各端末位置情報ＰＭｉと関連位置情報ＰＳａとに基づいて、複数の携帯情報端末１０のうち携帯情報端末１０ｂ，１０ｃ，１０ｄのみが会議室の存在位置Ｑａに対する所定の近傍範囲ＲＮ内に存在する旨を判定する。また、サーバ５０は、直近の各端末位置情報ＰＭｉの経時変化にも基づいて、各携帯情報端末１０の移動の向きをも認識し、複数の携帯情報端末１０のうち携帯情報端末１０ｂ，１０ｃのみが位置Ｑａに向かって進行している旨をも判定する。そして、サーバ５０は、複数の携帯情報端末１０のうち、２つの携帯情報端末１０ｂ，１０ｃのみを「通知対象装置」として選択する。他の携帯情報端末１０ａ，１０ｄ，１０ｅ，...は、「通知対象装置」から除外される。なお、ここでは、送信元の携帯情報端末１０ａ（データ送信操作を行った端末）は、常に通知対象装置から除外されるものとする。
【００７５】
そして、サーバ５０は、通知対象装置として選択された携帯情報端末１０ｂ，１０ｃのみに対して、通知ＮＴを送信し、新規の画像データがアップロードされた旨を通知する（ステップＳＰ４２）。
【００７６】
一方、情報通信システム１Ｂにログイン中の携帯情報端末１０ｂ，１０ｃは、それぞれ、当該通知ＮＴを受信すると、自機の操作パネル１６に通知アイコンＮＣを表示する（ステップＳＰ４３）。
【００７７】
また、携帯情報端末１０ｂのユーザＵＢは、当該通知アイコンＮＣを視認した後、当該通知アイコンＮＣをクリックすることによって、新規登録された画像データを取得することができる。
【００７８】
具体的には、ユーザＵＢが通知アイコンＮＣをクリックすると、当該クリック操作に応答して、携帯情報端末１０ｂは、新規画像データＤＧａの送信要求をサーバ５０に送出する（ステップＳＰ４４）。サーバ５０は、携帯情報端末１０ｂからの当該送信要求を受信する（ステップＳＰ４５）と、当該送信要求に応答して、画像データＤＧａを携帯情報端末１０ｂに向けて送信する（ステップＳＰ４６）。一方、携帯情報端末１０ｂは、画像データＤＧａをサーバ５０から受信し、画像データＤＧａの全データの受信が完了すると、当該画像データＤＧａに基づいて、携帯情報端末１０ｂの操作パネル１６上に画像データＤＧａを表示する。
【００７９】
なお、ここでは、携帯情報端末１０ｂの動作について詳細に説明したが、携帯情報端末１０ｃの動作も同様であり、携帯情報端末１０ｃは、ユーザＵＣによる通知アイコンＮＣの操作に応答して、画像データＤＧａに関する受信動作および表示動作を実行する。
【００８０】
以上のような動作によれば、携帯情報端末１０ａによる新規登録画像データＤＧａがサーバ５０に送信されたことに応答して、当該データ登録に関する通知ＮＴが、当該画像データＤＧａの撮影位置Ｑａの近傍範囲内に存在し且つ当該位置Ｑａへと移動している携帯情報端末１０ｂ，１０ｃに対してのみ実行される。したがって、画像データＤＧａ（食堂の献立メニュー画像）に大きな興味を有するユーザＵＢ，ＵＣに対して、データ送信を通知することができる。一方、画像データＤＧａ（食堂の献立メニュー画像）にそれほど興味を有していないユーザＵＤ，ＵＥ等に対しては、データ送信が通知されず、無用な通知が回避され得る。したがって、データに関する通知（データ新規登録通知）がより効率的になされ得る。換言すれば、或るユーザＵＡによるデータ操作が行われた旨を他のユーザに効率的に通知することが可能である。
【００８１】
＜３．変形例等＞
以上、この発明の実施の形態について説明したが、この発明は上記説明した内容のものに限定されるものではない。
【００８２】
たとえば、上記各実施形態においては、送信元の装置を除く複数の携帯情報端末１０の中から通知対象装置が選択される場合が例示されているが、これに限定されず、送信元の装置を含む複数の携帯情報端末１０の中から通知対象装置が選択されるようにしてもよい。
【００８３】
また、上記各実施形態においては、携帯情報端末１０ａからサーバ５０へとデータが送信される場合（ステップＳＰ１２，ＳＰ３２参照）を例示したが、これに限定されない。携帯情報端末以外の装置、たとえば、非携帯型の情報処理装置（デスクトップコンピュータ）等からサーバ５０へと当該データ（更新対象の会議資料データおよび新規登録の画像データ等）が送信されるようにしてもよい。
【符号の説明】
【００８４】
１，１Ａ，１Ｂ  情報通信システム
１０，１０ａ〜１０ｅ  携帯情報端末
１６  操作パネル
５０  サーバ
ＭＤｒ  データ受信側端末
ＭＤｓ  データ送信側端末
ＮＣ  通知アイコン
ＮＴ  通知
ＰＭ  端末位置情報
ＰＳ  関連位置情報
Ｐｉ  各端末位置
Ｑａ  特定位置
【図１】
2012198793.tif 000003
【図２】
2012198793.tif 000004
【図３】
2012198793.tif 000005
【図４】
2012198793.tif 000006
【図５】
2012198793.tif 000007
【図６】
2012198793.tif 000008
【図７】
2012198793.tif 000009
【図８】
2012198793.tif 000010
【図９】
2012198793.tif 000011
【図１０】
2012198793.tif 000012
【図１１】
2012198793.tif 000013
【図１２】
2012198793.tif 000014
【図１３】
2012198793.tif 000015
【図１４】
2012198793.tif 000016
【図１５】
2012198793.tif 000017